(57)【要約】【課題】中間転写方式において、小粒径トナーや、凹凸のある記録媒体でも、安定した転写性を確保可能な画像形成装置を提供すること。【解決手段】中間転写方式の画像形成装置において、トナー像を中間転写ベルト１６から用紙２３（記録媒体）へ転写を行う第２の転写位置に、トナー像を用紙２３上に転写するための第２転写帯電器２４と、中間転写ベルト１６の内周面側に第２転写帯電器２４に対向して設けられる対向電極２５を配設し、この対向電極２５を、中間転写ベルトと接触する導電性の接触部材を有し、且つ中間転写ベルト１６に内周面側から振動を与えるための振動子３３を含んで構成させる。【選択図】  図２
2005338441.tif 000002
【特許請求の範囲】
【請求項１】
表面に潜像が形成される像担持体と、
該像担持体上に潜像を形成する潜像形成手段と、
前記像担持体上に形成された潜像をトナーで現像することにより該像担持体上にトナー像を形成する現像手段と、
前記像担持体上に形成されたトナー像を中間転写ベルトに転写する第１転写手段と、
前記中間転写ベルト上に形成されたトナー像を記録媒体上に転写する第２転写手段と、
を備える画像形成装置において、
前記第２転写手段は、前記中間転写ベルトの外周面側に設けられると共に前記トナー像を前記記録媒体上に転写するための転写帯電部材と、前記中間転写ベルトの内周面側に前記転写帯電部材に対向して設けられる対向電極と、を含んで構成され、
前記対向電極は、前記中間転写ベルトに内周面側から振動を与えるための振動子を含んで構成され、
前記振動子は、前記中間転写ベルトと接触する導電性の接触部材を有することを特徴とする画像形成装置。
【請求項２】
前記振動子における前記接触部材は、その体積抵抗率が体積抵抗率１０7から１０12Ωｃｍであることを特徴とする請求項１に記載の画像形成装置。
【請求項３】
前記対向電極は、さらに前記振動子の周辺に設けられると共に前記中間転写ベルトの内周面を支持する導電性のガイド部材を有することを特徴とする請求項１に記載の画像形成装置。
【請求項４】
前記導電性のガイド部材の体積抵抗率は、前記接触部材の体積抵抗率よりも高いことを特徴とする請求項３に記載の画像形成装置。
【請求項５】
前記転写帯電部材は、接触式の転写帯電部材であることを特徴とする請求項１に記載の画像形成装置。
【請求項６】
前記接触式の転写帯電部材の外周面は、アスカＣ硬度３０°以下であることを特徴とする請求項５に記載の画像形成装置。
【請求項７】
前記振動子は、その前記中間転写ベルトとの接触部材の先端が前記転写帯電部材の中心部よりも、前記中間転写ベルトの回転方向の上流側に位置して配設されることを特徴とする請求項１に記載の画像形成装置。
【請求項８】
前記振動子は、その前記接触部材にバイアスを印加することを特徴とする請求項１に記載の画像形成装置。
【請求項９】
前記転写帯電部材は、ベルト部材を利用したベルト方式の転写帯電部材であり、記録媒体搬送手段を兼ねることを特徴とする請求項１に記載の画像形成装置。
【請求項１０】
前記ベルト部材は、その表面がアスカＣ硬度３０°以下であることを特徴とする請求項９に記載の画像形成装置。
【請求項１１】
前記トナーの体積平均粒径は、２〜９μｍであることを特徴とする請求項１に記載の画像形成装置。
【発明の詳細な説明】
【技術分野】
【０００１】
本発明は、複写機、ファクシミリ、プリンタなどに適用される画像形成装置に関し、詳しくは、像担持体上に形成したトナー像を中間転写ベルトに転写し、中間転写ベルト上のトナー像を記録媒体上に転写する画像形成装置に関する。
【背景技術】
【０００２】
電子写真法を用いた画像形成装置、またその中のカラー画像形成装置においては、像担持体上のトナー像を直接記録媒体へ転写せず、一旦中間転写ベルトに転写した後、記録媒体へ転写する中間転写方式が知られている。
【０００３】
この中間転写方式では、中間転写ベルトにトナー像を転写するための転写帯電器転と、この中間転写ベルトに形成されたトナー像を記録媒体へ転写するための転写帯電器と、が設けられることになる。
【０００４】
ところで、トナーの粒径が小さくなったり、記録媒体表面に凹凸があったりすると、十分に高い転写効率が得られないといった問題がある。
【０００５】
このような問題を改善する目的で、感光体ベルト内周面側に転写帯電器と対向させて振動子を設けて、感光体ベルトを振動させ、転写効率を向上させることが知られている（例えば特開平０５−０５３４５３号公報、特開２００１―２２５０１４公報）。
【０００６】
また、中間転写ベルトから記録媒体へ転写する際にも、中間転写ベルトに振動を与える振動子の機能を持たせた転写帯電器を用いることも行われている（例えば、特開２００１−１１７３８１公報）。
【特許文献１】特開平０５−０５３４５３号公報
【特許文献２】特開２００１―２２５０１４公報
【特許文献３】特開２００１−１１７３８１公報
【発明の開示】
【発明が解決しようとする課題】
【０００７】
一方で、転写帯電器による転写の際には、感光体には導電性基体があるので、この導電性基体により感光体へ電荷が流入するのに対し、中間転写ベルトは抵抗層で構成されているため中間転写ベルトには電荷が流入しにくい。このため、中間転写部における転写帯電器に中間転写ベルトを介して対向して対向電極を設けることが行われている。
【０００８】
しかしながら、中間転写ベルトに振動を与える振動子の機能を持たせた転写帯電器を用いると、安定して対向電極を構成することができなかったり、安定した転写性を得ることができにくく改善が望まれている。
【０００９】
従って、本発明は、前記従来における諸問題を解決し、以下の目的を達成することを課題とする。即ち、本発明の目的は、中間転写方式において、小粒径トナーや、凹凸のある記録媒体でも、安定した転写性を確保可能な画像形成装置を提供することがである。
【課題を解決するための手段】
【００１０】
上記課題は、以下の手段により解決される。即ち、
本発明の画像形成装置は、
表面に潜像が形成される像担持体と、
該像担持体上に潜像を形成する潜像形成手段と、
前記像担持体上に形成された潜像をトナーで現像することにより該像担持体上にトナー像を形成する現像手段と、
前記像担持体上に形成されたトナー像を中間転写ベルトに転写する第１転写手段と、
前記中間転写ベルト上に形成されたトナー像を記録媒体上に転写する第２転写手段と、
を備える画像形成装置において、
前記第２転写手段は、前記中間転写ベルトの外周面側に設けられると共に前記トナー像を前記記録媒体上に転写するための転写帯電部材と、前記中間転写ベルトの内周面側に前記転写帯電部材に対向して設けられる対向電極と、を含んで構成され、
前記対向電極は、前記中間転写ベルトに内周面側から振動を与えるための振動子を含んで構成され、
前記振動子は、前記中間転写ベルトと接触する導電性の接触部材を有することを特徴としている。
【００１１】
本発明の画像形成装置では、第２転写手段を構成する対向電極を、中間転写ベルトと接触する接触部材を導電性とした振動子を含んで構成させる。中間転写ベルトから記録媒体への転写際、当該振動子はその導電性の接触部材を対向電極として機能させて中間転写ベルトへ電荷を良好に流れ込ませる。そして、振動子は中間転写ベルトへ内周面側から物理的な振動を与えると共に、転写帯電部材からの電荷を中間転写ベルトの振動部（振動面）に集中させ良好な転写電界を形成する。また、転写帯電部材が振動しないので、安定して対向電極を構成することもできる。このように、中間転写方式において、小粒径トナーや、凹凸のある記録媒体でも、安定した転写性を確保可能となる。
【００１２】
本発明の画像形成装置において、前記振動子における前記接触部材は、その体積抵抗率が体積抵抗率１０7から１０12Ωｃｍであることがよい。この構成により、振動子が対向電極として良好に機能すると共に、中間転写ベルトにおける用紙が通過しない部分での電荷の過剰流入を防ぐことができる。
【００１３】
本発明の画像形成装置において、前記対向電極は、さらに前記振動子の周辺に設けられると共に前記中間転写ベルトの内周面を支持する導電性のガイド部材を有することがよい。この構成により、転写の際、振動子の接触部材が安定して中間転写ベルト内周面と接触が図れない場合でも、中間転写ベルト面の安定した電位が確保できる。
【００１４】
本発明の画像形成装置において、前記導電性のガイド部材の体積抵抗率は、前記接触部材の体積抵抗率よりも高いことがよい。この構成により、効果的に、転写電界の集中を振動子の接触部材船体近傍（中間転写ベルトの振動部（振動面））にでき、良好な転写性が得られる。
【００１５】
本発明の画像形成装置において、前記転写帯電部材は、接触式の転写帯電部材であることがよい。この構成により、転写手段のオゾンレス化を図ることができる。
【００１６】
本発明の画像形成装置において、接触式の転写帯電部材は、アスカＣ硬度３０°以下であることがよい。この構成により、接触式の転写帯電部材の外周面が柔らかく、振動子による中間転写ベルトの振動効果への影響を低く抑えることができる。
【００１７】
本発明の画像形成装置において、前記振動子は、その前記中間転写ベルトとの接触部材の先端が前記転写帯電部材の中心部よりも上流側に位置して配設されることがよい。この構成により、振動子は、転写電界が低い領域から中間転写ベルトへの振動付与され、転写領域中の放電が発生しない領域において、トナーと中間転写ベルトとの付着力を下げた状態で転写可能となり、安定した転写性が得られる。
【００１８】
本発明の画像形成装置において、前記振動子は、その前記接触部材にバイアスを印加することがよい。この構成により、中間転写ベルトにおける転写領域に安定した転写電界が付与され、良好な転写性が得られる。
【００１９】
本発明の画像形成装置において、前記転写帯電部材は、ベルト部材を利用したベルト方式の転写帯電部材であり、記録媒体搬送手段を兼ねることがよい。この構成により、記録媒体搬送手段を兼ねたベルト方式の転写帯電部材による転写の際、良好な転写性が得られると共に、中間転写ベルトの記録媒体剥離性が向上する。
【００２０】
本発明の画像形成装置において、前記ベルト部材は、その表面がアスカＣ硬度３０°以下であることがよい。この構成により、ベルト方式の転写帯電部材は、振動子による中間転写ベルトの振動効果への影響を低く抑えることができる。
【００２１】
本発明の画像形成装置において、前記トナーの体積平均粒径は、２〜９μｍであることがよい。この構成では、体積平均粒径が２〜９μｍのトナーを用いても、良好な転写性が得られる。
【発明の効果】
【００２２】
本発明によれば、中間転写方式において、小粒径トナーや、凹凸のある記録媒体でも、安定した転写性を確保可能な画像形成装置を提供することができる。
【発明を実施するための最良の形態】
【００２３】
以下、本発明の記録装置について、図面を参照しつつ詳細に説明する。なお、実質的に同一の機能を有する部材には、全図面通して同じ符合を付与して説明する。
【００２４】
（第１実施形態）
図１は、本発明の第１実施形態に係る画像形成装置を示す概略構成図である。図２は、本発明の第１実施形態に係る画像形成装置における第２の転写位置を示す概略構成図である。
【００２５】
本実施形態に係る画像形成装置、矢印Ａ方向に回転するドラム状の像担持体ドラム１１を備えており、この像担持体ドラム１１を有するカラー画像形成装置本体１の上部には、原稿４の画像を読み取る画像読取部２が配備されている。この画像読取部２には、プラテンガラス３、光源５、２つの走査ミラー６，７、結像レンズ８、カラー用のＣＣＤセンサ９などが備えられている。
【００２６】
また、カラー画像形成装置本体１の内部には、画像形成ユニット３０と、中間転写ユニット３１とが配備されている。画像形成ユニット３０には、像担持体ドラム１１の周囲に、像担持体ドラム１１をほぼ一様に帯電する帯電器１５と、像担持体ドラム１１にレーザービームを照射して静電潜像を書き込むレーザービーム走査部１３と、それぞれイエロー（Ｙ）、マゼンタ（Ｍ）、シアン（Ｃ）、ブラック（Ｋ）の各色のトナー（体積平均粒径５．２μｍの小粒径トナー）を収容する現像器１４ａ、１４ｂ、１４ｃ、１４ｄとが備えられている。
【００２７】
中間転写ユニット３１には、駆動ロール１７、アイドラーロール１８，１９，２０によって張架された中間転写ベルト１６が備えられており、中間転写ベルト１６は駆動ロール１７によって駆動され、矢印Ｂ方向に回転するようになっている。中間転写ベルト１６と像担持体ドラム１１とが対向する第１の転写位置では、中間転写ベルト１６の裏面側に第１転写帯電器１５（第１転写手段）が備えられている。
【００２８】
画像形成装置本体１の下部には、用紙２３を収容する給紙カセット２１と、この給紙カセット２１から用紙２３を一枚ずつ取り出して搬送する給送ロール２２と、用紙２３を中間転写ベルト１６との対向位置にタイミングを合わせて搬送するレジストロール２８と、を備えている。
【００２９】
また、中間転写ベルト１６上のトナー像を用紙２３上に転写する第２の転写位置には、第２転写帯電器２４と、中間転写ベルト１６の裏面側に対向した対向電極２５が設けられている。そして、用紙２３上に転写されたトナー像を定着する定着器２６と、定着後の用紙が搬出されるトレイ２７とを備えている。
【００３０】
ここで、第２の転写位置では、図２に示すように、第２転写帯電器２４と、対向電極２５とは、中間転写ベルト１６を介して対向するように設けられている。この第２転写帯電器２４及び対向電極２５が第２転写手段に相当する。
【００３１】
第２転写帯電器２４は、コロトロン、ピコトロンなどの非接触式、転写ロールなどの接触式のいずれも用いることができるが、本実施形態では、非接触式を適用している。
【００３２】
対向電極２５は、振動子３３と導電性のガイド部材３４とから構成されている。
【００３３】
振動子３３は、振動子本体３５と中間転写ベルト１６と接触するホーン部材３６（接触部材）とから構成されている。振動子本体３５としては、例えばボルト締めランジュバン型振動子（ＢＬＴ）が用いられ、例えば、図示しないファンクションジェネレータで発振された正弦波交流電圧は、同じく図示しないパワーアンプで増幅され、振動子本体３５に入力され、振動（超音波）を発生させる。
【００３４】
ホーン部材３６は振動子３３を対向電極として機能させるため、導電性の部材で構成されているが、ホーン部材３６は例えば、ＳＵＳからなるホーン形状の金属体に導電性樹脂材料として導電性材料としてカーボンブラックを分散させたポリイミド樹脂をコートしたもので構成することができる。また、ホーン部材３６の体積抵抗率としては体積抵抗率１０7から１０12Ωｃｍが好適である。これにより、振動子３３が対向電極として良好に機能すると共に、中間転写ベルト１６における用紙２３が通過しない部分での電荷の過剰流入を防ぐことができる。また、ホーン部材３６は、振動子本体３５が発する振動の機械的な増幅させる役割もあり、その先端から中間転写ベルト１６から振動（超音波）を付与する。
【００３５】
このように、振動子３３は、対向電極２５として機能すると共に、振動子本体３５によりホーン部材３６を介して中間転写ベルト１６に例えば超音波を与えて振動させることができる。なお、例えば、振動子本体３５の共振周波数は１９．８４ｋＨｚ付近であり、投入したパワーは１０Ｗとすることができる。このとき放射される超音波音場の音圧は１２６０［Ｎ／ｍ2］（ｄＢ表記で１５６ｄＢ）である。
【００３６】
一方、ガイド部材３４は、振動子３３の周辺、具体的には振動子３３のホーン部材３６の中間転写ベルト１６回転方向の上流側及び下流側にそれぞれ配設されている。ガイド部材３４は、導電性の部材で構成されると共に、中間転写ベルト１６を裏面側から接触（摺擦）して支持している。このため、ガイド部材３４を設けることで、振動子３３（ホーン部材３６先端：接触部材先端）と中間転写ベルト１６との安定した接触が図れない場合でも、ガイド部材３４が対向電極として機能するため、中間転写ベルト面の安定した電位が確保できる。
【００３７】
また、ガイド部材３４は、導電性の部材で構成されているが、例えば、導電性樹脂として、カーボンブラックを分散させたフェノール樹脂で構成することができる。また、ガイド部材３４の体積抵抗率は例えば、１０12から１０13Ωｃｍとして、振動子３３のホーン部材３６（接触部材）の体積抵抗率よりも高くしている。これにより、第２の転写位置における転写電界の集中を振動子３３のホーン部材（接触部材）近傍にでき、良好な転写性が得られる。
【００３８】
次に、上記画像形成装置の動作を説明する。
【００３９】
まず、プラテンガラス３上に載置され、光源５によって照らされた原稿４からの反射光像は、２つの走査ミラー６，７、及び結像レンズ８を介してＣＣＤセンサ９によってＲＧＢ（レッド、グリーン、ブルー）の画像信号として読み取られる。読み取られたＲＧＢの画像信号は画像信号処理部１０に入力され、ここでＹＭＣＫ（イエロー、マゼンタ、シアン、ブラック）の画像信号に変換されると共に、必要に応じて画像信号処理部１０の内部に設けられたメモリに一時記憶される。
【００４０】
像担持体ドラム１１は、帯電器１５によって所定の負電位に一様に帯電された後、レーザービーム走査部１３によって静電潜像の形成が行われる。レーザービーム走査部１３は、画像信号処理部１０から順次出力されるイエロー（Ｙ）、マゼンタ（Ｍ）、シアン（Ｃ）、ブラック（Ｋ）の各色の画像データに応じたレーザービームを像担持体ドラム１１上に走査することにより、画像露光を行い、これにより像担持体ドラム１１上に静電潜像が形成される。
【００４１】
像担持体ドラム１１上に形成された静電潜像は、現像器１４ａ、１４ｂ、１４ｃ、１４ｄによって現像され、それぞれイエロー（Ｙ）、マゼンタ（Ｍ）、シア
ン（Ｃ）、ブラック（Ｋ）の各色のトナー像が形成される。各色のトナーは負に帯電しており、像担持体ドラム１１上のレーザービームが照射された領域に付着する。なお、像担持体ドラム１１が１回転する毎に１色分のトナー像が形成され４回転で４色分のトナー像が形成される。
【００４２】
像担持体ドラム１１が１回転する毎に形成された１色分のトナー像は、その都度、第１の転写位置において第１転写帯電器１５によって中間転写ベルト１６に転写され、これが４回繰り返されることによって、中間転写ベルト１６上に４色分のトナー像が重ね合わされる。
【００４３】
中間転写ベルト１６上に４色分のトナー像が転写された後、中間転写ベルト１６がさらに回転してその４色分のトナー像が第２の転写位置に達するのと同期して、給紙カセット２１内に収容されていた用紙２３が給送ロール２２によって給送され、レジストロール２８によって第２の転写位置に搬送される。
【００４４】
第２の転写位置には、中間転写ベルト１６を介して、その内周面側に対向電極２５とその外周面側に第２転写帯電器２４とが対向してが配備されており、第２転写帯電器２４によって例えば正の電荷が用紙２３に供給され、用紙２３の電荷の作用により中間転写ベルト１６上のトナー像が用紙２３上に静電的に転写される。このとき、対向電極２５を構成する振動子３３から中間転写ベルト１６へ振動（超音波）が付与される。
【００４５】
トナー像が転写された用紙２３は、定着器２６において熱及び圧力による定着処理を受けた後、トレイ２７上に搬出され、一連のカラー画像形成サイクルが終
了する。
【００４６】
なお、第１の転写位置における転写を終了した像担持体ドラム１１は、クリーニング装置３２により像担持体ドラム１１表面の残留物が除去され、次の画像形成サイクルに移行する。また、第２の転写位置における転写を終了した中間転写ベルト１６は、クリーニング装置２９により中間転写ベルト１６表面の残留物が除去され、次の画像形成サイクルに移行する。
【００４７】
以上、説明した本実施形態に係る画像形成装置では、中間転写ベルト１６上に形成されたトナー像を用紙２３に転写する第２の転写位置において、第２転写帯電器２４により転写が行われる際、対向電極２５を構成する振動子３３が対向電極として機能し中間転写ベルト１６へ電荷を良好に流れ込ませる。そして、当該振動子３３は中間転写ベルト１６へ物理的な振動を与えると共に、第２転写帯電器２４からの電荷を中間転写ベルト１６の振動部（振動面）に集中させ良好な転写電界を形成する。また、第２転写帯電器２４が振動しないので、安定した対向電極２５として構成される。
【００４８】
このため、本実施形態に係る画像形成装置では、従来、良好な転写性が得られにくい、例えば体積平均粒径２〜９μｍの小粒径トナーや、凹凸のある用紙２３（記録媒体）でも、転写効率良く安定して、中間転写ベルト１６から用紙２３へ転写可能となる。
【００４９】
なお、トナーの体積平均粒径は、コールターマルチサイザー（ベックマン−コールター社製）を用いて、トナー粒子５００００個について測定して得られた個々のトナー粒子の体積粒子径を平均した値である。
【００５０】
また、本実施形態に係る画像形成装置では、対向電極２５として振動子３３と共に、振動子３３（導電性のホーン部材３６）の上流側及び下流側にそれぞれ導電性のガイド部材３４を設け、当該ガイド部材３４を振動子３３のホーン部材３６よりも高い体積抵抗率で構成しているので、転写の際、振動子３３のホーン部材３６が安定して中間転写ベルト１６内周面と接触が図れない場合でも、中間転写ベルト１６面の安定した電位が確保でき、転写電界の集中を振動子３３のホーン部材３６先端近傍（中間転写ベルト１６の振動部）にでき、より良好な転写性が得られる。
【００５１】
（第２実施形態）
図３は、本発明の第２実施形態に係る画像形成装置における第２の転写位置を示す概略構成図である。
【００５２】
本実施形態に係る画像形成装置は、導電性のガイド部材３４を導電性弾性部材で構成する形態である。そして、導電性のガイド部材３４は、第１実施形態に比べ、中間転写ベルト１６への接触面積を大させると共に振動子３３のホーン部材３６に近づけて配置されている。また、導電性弾性部材は、例えば、エピクロルヒドリンゴム、導電性ウレタン、導電性ナイロンブラシで構成することができる。これ以外の構成は、第１実施形態と同様なので説明を省略する。
【００５３】
本実施形態に係る画像形成装置では、導電性のガイド部材を導電性弾性部材で構成することで、振動子３３による振動付与を阻害することなく、ガイド部材３４を、中間転写ベルト１６への接触面積を大きくすると共に振動子３３のホーン部材３６に近づけて配置させることができ、安定した対向電極２５を構成することができる。
【００５４】
（第３実施形態）
図４は、本発明の第３実施形態に係る画像形成装置における第２の転写位置を示す概略構成図である。
【００５５】
本実施形態に係る画像形成装置は、第２実施形態と同様に導電性のガイド部材３４を導電性弾性部材で構成し、さらに、第２転写帯電器２４として転写帯電ロール（接触式の転写帯電部材）を用いた形態である。転写帯電ロールは、例えば、芯材外周面に、弾性層（エピクロルヒドリンゴム層、導電性ウレタン層など）を設けたものであり、その外周面のアスカーＣ硬度が３０°以下である。これ以外の構成は第１実施形態と同様なので、説明を省略する。
【００５６】
本実施形態では、第２転写帯電器２４として、外周面のアスカーＣ硬度が３０°以下の転写帯電ロールを適用することで、オゾンレス化を図れると共に、その外周面が柔らかいので、振動子３３による振動付与を阻害することなく、転写可能となる。
【００５７】
（第４実施形態）
図５は、本発明の第４実施形態に係る画像形成装置における第２の転写位置を示す概略構成図である。
【００５８】
本実施形態に係る画像形成装置は、対向電極２５における振動子３３のホーン部材３６の先端を、間隔ｄｍｍの範囲で第２転写帯電器２４の中心部よりも上流側（中間転写ベルト１６回転方向の上流側）に位置して配設させた形態である。また、振動子３３のホーン部材３６の先端と、第１転写帯電器１５の中心部と、中間転写ベルト１６回転方向に沿った間隔ｄは、０．５〜５ｍｍの範囲で設定される。この範囲にすることで、第２転写帯電器２４に印加するバイアス（電圧）を実用的な範囲とすることができ、安定した転写を行うことができる。これ以外の構成は、第１実施形態と同様なので説明を省略する。
【００５９】
本実施形態に係る画像形成装置では、対向電極２５における振動子３３のホーン部材３６の先端を、ずれｄｍｍの範囲で第２転写帯電器２４の中心部よりも上流側（中間転写ベルト１６回転方向の上流側）に位置して配設させることで、振動子３３は、転写電界が低い領域から中間転写ベルトへの振動付与され、転写領域中の放電が発生しない領域において、トナーと中間転写ベルトとの付着力を下げた状態で転写可能となり、安定した転写性が得られる。
【００６０】
（第５実施形態）
図６は、本発明の第５実施形態に係る画像形成装置における第２の転写位置を示す概略構成図である。
【００６１】
本実施形態に係る画像形成装置は、第３実施形態と同様に導電性のガイド部材３４を導電性弾性部材で構成し、第２転写帯電器２４として転写帯電ロール（接触式の転写帯電部材）を用い、さらに、対向電極２５における振動子３３のホーン部材３６にバイアス（電圧）を印加させる形態である。これ以外の構成は、第１実施形態と同様なので説明を省略する。ここでホーン部材３６の基材の金属部にバイアスを印加し、第２転写帯電器２４との間に電界を形成する。第２転写帯電器２４は接地あるいは、バイアスを印加してもよい。
【００６２】
本実施形態に係る画像形成装置では、対向電極２５からもバイアスを印加することで、中間転写ベルトにおける転写領域に安定した転写電界が付与され、良好な転写性が得られる。
【００６３】
（第６実施形態）
図７は、本発明の第６実施形態に係る画像形成装置における第２の転写位置を示す概略構成図である。
【００６４】
本実施形態に係る画像形成装置は、第２転写帯電器２４として、ベルト方式の転写帯電器２４で構成し、当該転写帯電部材を用紙搬送手段として利用する形態である。
【００６５】
ベルト方式の転写帯電器２４は、ベルト部材３７と、ベルト部材３７を張架するための２つのロール３８と、ベルト部材３７内部に配置される転写帯電ロール３９と、から構成されている。また、ベルト部材３７としては、例えばクロロプレンゴムにカーボンブラックを分散させたベルト部材などで構成することができる。そして、このベルト部材３７の表面は表面がアスカＣ硬度３０°以下としている。
【００６６】
そして、対向電極２５としては、転写帯電ロール３９よりも上流側（中間転写ロール回転方向の上流側）に配置された振動子３３と、振動子３３上流側（中間転写ロール回転方向の上流側）に配置された導電性のガイド部材３４と、振動子３３下流側（中間転写ロール回転方向の上流側）に配置されたバイアスロール４０と、から構成されている。
【００６７】
なお、第１実施形態におけるアイドラーロール２０をバイアスロール４０に変更する。これ以外の構成は、第１実施形態と同様であるので説明を省略する。
【００６８】
本実施形態に係る画像形成装置では、ベルト部材３７と中間転写ベルト１６とのニップ部へ用紙２３が通過し、この際に転写が行われると共に、ベルト部材３７により用紙が搬送され、転写後にベルト部材３７により用紙２３が中間転写ベルト１６から剥離される。この際、振動子により中間転写ベルト１６に振動を付与することで、良好な転写性を確保できると共に、物理的な振動のより用紙２３が中間転写ベルト１６から剥離し易くなる。
【００６９】
また、ベルト部材３７の表面をアスカＣ硬度３０°以下と柔らかく構成することで、振動子３３による振動付与を阻害することなく、転写・搬送を行うことが可能となる。
【００７０】
なお、上記何れの実施形態も組み合わせて実施することができる。また、上記何れの実施の形態においても、限定的に解釈されるものではなく、本発明の要件を満足する範囲内で実現可能であることは、言うまでもない。
【図面の簡単な説明】
【００７１】
【図１】本発明の第１実施形態に係る画像形成装置を示す概略構成図である。
【図２】本発明の第１実施形態に係る画像形成装置における第２の転写位置を示す概略構成図である。
【図３】本発明の第２実施形態に係る画像形成装置における第２の転写位置を示す概略構成図である。
【図４】本発明の第３実施形態に係る画像形成装置における第２の転写位置を示す概略構成図である。
【図５】本発明の第４実施形態に係る画像形成装置における第２の転写位置を示す概略構成図である。
【図６】本発明の第５実施形態に係る画像形成装置における第２の転写位置を示す概略構成図である。
【図７】本発明の第６実施形態に係る画像形成装置における第２の転写位置を示す概略構成図である。
【符号の説明】
【００７２】
１    カラー画像形成装置本体
２    画像読取部
３    プラテンガラス
４    原稿
５    光源
６，７      操作ミラー
８    結像レンズ
９    ＣＣＤセンサ
１０  画像信号処理部
１１  像担持体ドラム
１３  レーザービーム走査部
１４ａ〜ｄ  現像器
１５  帯電器
１５  第１転写帯電器
１６  中間転写ベルト
１６  中間転写ベルト
１７  駆動ロール
１８，１９，２０  アイドラーロール
２１  給紙カセット
２２  給送ロール
２３  用紙
２４  転写帯電器
２５  対向電極
２６  定着器
２７  トレイ
２８  レジストロール
２９  クリーニング装置
３０  画像形成ユニット
３１  中間転写ユニット
３２  クリーニング装置
３３  振動子
３４  ガイド部材
３５  振動子本体
３６  ホーン部材
３７  ベルト部材
３８  ロール
３９  転写帯電ロール
４０  バイアスロール
【図１】
2005338441.tif 000003
【図２】
2005338441.tif 000004
【図３】
2005338441.tif 000005
【図４】
2005338441.tif 000006
【図５】
2005338441.tif 000007
【図６】
2005338441.tif 000008
【図７】
2005338441.tif 000009